(57)【要約】【課題】投薬によって病状がどのように変化するかを予測することができる投薬効果予測システム及びその制御方法、並びに制御プログラムを提供する。【解決手段】投薬効果情報送信装置１７は、電子カルテサーバー１６から患者への投薬終了を表す投薬終了通知が送信された場合に、投薬により患者に表れた投薬効果に関する投薬効果情報を、画像サーバー１４及び電子カルテサーバー１６から収集する。投薬効果情報送信装置１７で収集された投薬効果情報は、投薬効果情報データベース５４に格納される。クライアント端末１８により、薬剤名及び患者の属性情報に基づいて投薬効果情報サーバー５５を検索すると、投薬効果情報サーバー５５は、検索した薬剤の平均的な投薬効果を表す平均投薬効果情報をクライアント端末１８に送信する。クライアント端末１８は、平均投薬効果情報を時系列にモニターに表示する。【選択図】図１
2014071592.tif 000002
【特許請求の範囲】
【請求項１】
患者の属性情報と、前記患者に投薬された薬剤の名称と、前記薬剤の投薬により前記患者に表れた投薬効果に関する投薬効果情報とを患者単位で格納する投薬情報データベースと、
前記薬剤の名称と、前記薬剤が投薬される投薬対象患者の属性情報とに基づいて前記投薬情報データベースを検索して、前記薬剤が投薬された過去の患者の中から、前記投薬対象患者の属性情報に類似した属性情報を有する過去の患者の前記投薬効果情報を抽出する投薬効果情報検索部と、
前記投薬効果情報検索部で抽出された前記投薬効果情報に基づいて、前記薬剤の平均的な投薬効果を表す平均投薬効果情報を生成する平均投薬効果情報生成部と、
前記平均投薬効果情報を時系列にモニターに表示する表示制御部と、
を備えることを特徴とする投薬効果予測システム。
【請求項２】
前記平均投薬効果情報生成部は、前記投薬効果情報検索部により抽出された複数の前記投薬効果情報を、投薬開始日を基準にして同一の時系列上に揃えて、複数の前記投薬効果情報の平均を求めることを特徴とする請求項１に記載の投薬効果予測システム。
【請求項３】
前記投薬効果情報は、前記薬剤が投薬された過去の患者の検査情報、バイタル情報、及び前記薬剤の効果に対する過去の患者の主観に関する主観情報の少なくとも一つを含むことを特徴とする請求項２に記載の投薬効果予測システム。
【請求項４】
前記表示制御部は、前記平均投薬効果情報を時間軸に沿ってグラフ表示することを特徴とする請求項２または３に記載の投薬効果予測システム。
【請求項５】
前記表示制御部は、前記平均投薬効果情報の最大及び最小領域を表示することを特徴とする請求項４に記載の投薬効果予測システム。
【請求項６】
前記表示制御部は、前記平均投薬効果情報の生成に用いた複数の前記投薬効果情報のうち、前記投薬対象患者の属性情報に対する類似性が高かった複数の過去の患者の投薬効果情報を表示することを特徴とする請求項１〜５いずれか一項に記載の投薬効果予測システム。
【請求項７】
前記平均投薬効果情報から、任意の時間を指定する時間指定部を備えており、
前記表示制御部は、前記時間指定部で指定された指定時間における前記平均投薬効果情報を表示することを特徴とする請求項４または５に記載の投薬効果予測システム。
【請求項８】
前記指定時間における前記平均投薬効果情報には、医用画像が含まれることを特徴とする請求項７に記載の投薬効果予測システム。
【請求項９】
前記医用画像は、前記平均投薬効果情報の生成に用いた複数の前記投薬効果情報のうち、前記投薬対象患者の属性情報に対する類似性が高かった複数の過去の患者の医用画像であることを特徴とする請求項８に記載の投薬効果予測システム。
【請求項１０】
前記投薬効果情報検索部は、前記薬剤と同等の成分を有する後発薬剤と、前記後発薬剤の投薬効果情報とを検索することを特徴とする請求項１〜９のいずれか一項に記載の投薬効果予測システム。
【請求項１１】
前記表示制御部は、前記薬剤の前記平均投薬効果情報とともに、前記後発薬剤の平均投薬効果情報を時系列に前記モニターに表示することを特徴とする請求項１０記載の投薬効果予測システム。
【請求項１２】
患者の属性情報、診療情報及び検査情報を管理する電子カルテサーバーから、前記投薬効果情報を収集する投薬効果情報収集部と、
前記投薬効果情報収集部で収集された前記投薬効果情報を標準化する標準化部と、
前記標準化部で標準化された前記投薬効果情報を、前記投薬効果情報データベースを管理する投薬効果情報管理サーバーに送信する投薬効果情報送信部と、を有する投薬効果情報送信装置を備えることを特徴とする請求項１〜１１いずれか一項に記載の投薬効果予測システム。
【請求項１３】
前記投薬効果情報収集部は、前記電子カルテサーバーから、患者への投薬終了を表す投薬終了通知が送信された場合に、前記投薬効果情報の収集を開始することを特徴とする請求項１２に記載の投薬効果予測システム。
【請求項１４】
患者の属性情報と、前記患者に投薬された薬剤の名称と、前記薬剤の投薬により前記患者に表れた投薬効果に関する投薬効果情報とを患者単位で記憶する投薬情報データベースを、前記薬剤の名称と、前記薬剤が投薬される投薬対象患者の属性情報とに基づいて検索して、前記薬剤が投薬された過去の患者の中から、前記投薬対象患者の属性情報に類似した属性情報を有する過去の患者の前記投薬効果情報を抽出する投薬効果情報抽出ステップと、
前記投薬効果情報検索ステップで抽出された前記投薬効果情報に基づいて、前記薬剤の平均的な投薬効果を表す平均投薬効果情報を生成する平均投薬効果情報生成ステップと、
前記平均投薬効果情報を時系列にモニターに表示する平均投薬効果情報表示ステップと、
を備えることを特徴とする投薬効果予測システムの制御方法。
【請求項１５】
患者の属性情報と、前記患者に投薬された薬剤の名称と、前記薬剤の投薬により前記患者に表れた投薬効果に関する投薬効果情報とを患者単位で格納する投薬情報データベースと、
前記薬剤の名称と、前記薬剤が投薬される投薬対象患者の属性情報とに基づいて前記投薬情報データベースを検索して、前記薬剤が投薬された過去の患者の中から、前記投薬対象患者の属性情報に類似した属性情報を有する過去の患者の前記投薬効果情報を抽出する投薬効果情報検索部と、
前記投薬効果情報検索部で抽出された前記投薬効果情報に基づいて、前記薬剤の平均的な投薬効果を表す平均投薬効果情報を生成する平均投薬効果情報生成部と、
前記平均投薬効果情報を時系列にモニターに表示する表示制御部と、
してコンピュータを機能させることを特徴とする投薬効果予測システムの制御プログラム。
【発明の詳細な説明】
【技術分野】
【０００１】
本発明は、患者に対する投薬の効果を予測するための投薬効果予測システム及びその制御方法、並びに制御プログラムである。
【背景技術】
【０００２】
病院や診療所等の医療機関では、診察を受けた患者の氏名や年齢等の患者情報、検査や治療の履歴等からなる診療記録、薬剤の処方情報等を電子データとして作成、管理する電子カルテ装置が普及している。また、電子カルテ装置において管理されている過去の患者の情報を、新たな患者の診療に利用する試みもなされている。
【０００３】
例えば、特許文献１には、患者の検査データ、臨床所見データ及び治療データを格納する電子カルテデータベースと、この電子カルテデータベースに格納されている過去の症例の中から、現在診療中の患者の検査データ、臨床所見データ及び治療データと類似する、検査データ、臨床所見データ及び治療データを有する過去の症例の患者を選択する類似症例患者の選択機構と、この選択機構により選択された類似症例患者のカルテ情報を閲覧可能に開示する開示機構とを備えた電子カルテ装置が開示されている。
【０００４】
また、特許文献２には、時系列に取得された複数の医用画像に対して関心領域を設定する関心領域設定手段と、症例情報が登録されたデータベースの検索により、関心領域設定手段により設定された関心領域と類似する画像的特徴を備えた症例画像を含む症例情報を抽出する類似症例検索手段と、類似症例検索手段により抽出された症例情報の中から検査及び治療の履歴情報を抽出して時系列に表示することにより、診療計画の立案を支援する症例情報表示手段とを備えた電子カルテ装置が開示されている。
【先行技術文献】
【特許文献】
【０００５】
【特許文献１】特開２００６−３０２１１３号公報
【特許文献２】特開２００７−２８７０２７号公報
【発明の概要】
【発明が解決しようとする課題】
【０００６】
医師は、患者に薬剤を処方する際に、その薬剤の効果や副作用等を患者に説明して、患者の了承を得た上で処方を行う。しかし、医師は、その薬剤がどのような疾病に効果があるかについての知識はあっても、その薬剤の投与によって病状が具体的にどのように変化するかまでは理解していない場合が多い。また、患者は、このような医師から薬剤の効果や副作用等に関する説明を受けても、その薬剤を使用することによって自分の病状が実際にどのように変化するのかがイメージできない場合が多く、医師から提案された処方をそのまま受け入れるのが一般的である。そのため、実際の処方の現場では、患者の理解を得た上で処方を行うという、真の意味でのインフォームドコンセントが行われていない。
【０００７】
特許文献１、２記載の電子カルテ装置では、過去の類似症例を検索して閲覧することができるので、過去の類似症例で処方された薬剤を、現在診療している患者の処方の参考にし、あるいは患者への説明に利用することもできる。しかし、特許文献１、２の電子カルテ装置では、投薬によって患者の病状がどのように変化するかは分らない。
【０００８】
本発明は、投薬によって病状がどのように変化するかを予測することができる投薬効果予測システム及びその制御方法、並びに制御プログラムを提供することを目的とする。
【課題を解決するための手段】
【０００９】
上記課題を解決するために、本発明の投薬効果予測システムは、患者の属性情報と、患者に投薬された薬剤の名称と、薬剤の投薬により患者に表れた投薬効果に関する投薬効果情報とを患者単位で格納する投薬情報データベースと、薬剤の名称と、薬剤が投薬される投薬対象患者の属性情報とに基づいて投薬情報データベースを検索して、薬剤が投薬された過去の患者の中から、投薬対象患者の属性情報に類似した属性情報を有する過去の患者の投薬効果情報を抽出する投薬効果情報検索部と、投薬効果情報検索部で抽出された投薬効果情報に基づいて、薬剤の平均的な投薬効果を表す平均投薬効果情報を生成する平均投薬効果情報生成部と、平均投薬効果情報を時系列にモニターに表示する表示制御部とを備えている。
【００１０】
平均投薬効果情報生成部は、投薬効果情報検索部により抽出された複数の投薬効果情報を、投薬開始日を基準にして同一の時系列上に揃えて、複数の投薬効果情報の平均を求めることが好ましい。
【００１１】
投薬効果情報は、薬剤が投薬された過去の患者の検査情報、バイタル情報、及び薬剤の効果に対する過去の患者の主観に関する主観情報の少なくとも一つを含むことが好ましい。
【００１２】
表示制御部は、平均投薬効果情報を時間軸に沿ってグラフ表示することが好ましい。
【００１３】
表示制御部は、平均投薬効果情報の最大及び最小領域を表示することが好ましい。
【００１４】
表示制御部は、平均投薬効果情報の生成に用いた複数の投薬効果情報のうち、投薬対象患者の属性情報に対する類似性が高かった複数の過去の患者の投薬効果情報を表示することが好ましい。
【００１５】
平均投薬効果情報から任意の時間を指定する時間指定部を備えている場合には、表示制御部は、時間指定部で指定された指定時間における平均投薬効果情報を表示することが好ましい。
【００１６】
指定時間における平均投薬効果情報には、医用画像が含まれることが好ましい。
【００１７】
医用画像は、平均投薬効果情報の生成に用いた複数の投薬効果情報のうち、投薬対象患者の属性情報に対する類似性が高かった複数の過去の患者の医用画像であることが好ましい。
【００１８】
投薬効果情報検索部は、検索する薬剤と同等の成分を有する後発薬剤と、この後発薬剤の投薬効果情報とを検索することが好ましい。また、この場合、表示制御部は、薬剤の平均投薬効果情報とともに、後発薬剤の平均投薬効果情報を時系列にモニターに表示することが好ましい。
【００１９】
患者の属性情報、診療情報及び検査情報を管理する電子カルテサーバーから、投薬効果情報を収集する投薬効果情報収集部と、投薬効果情報収集部で収集された投薬効果情報を標準化する標準化部と、標準化部で標準化された投薬効果情報を、投薬効果情報データベースを管理する投薬効果情報管理サーバーに送信する投薬効果情報送信部とを有する投薬効果情報送信装置を備えることが好ましい。
【００２０】
投薬効果情報収集部は、電子カルテサーバーから、患者への投薬終了を表す投薬終了通知が送信された場合に、投薬効果情報の収集を開始することが好ましい。
【００２１】
本発明の投薬効果予測システムの制御方法は、患者の属性情報と、患者に投薬された薬剤の名称と、薬剤の投薬により患者に表れた投薬効果に関する投薬効果情報とを患者単位で記憶する投薬情報データベースを、薬剤の名称と、薬剤が投薬される投薬対象患者の属性情報とに基づいて検索して、薬剤が投薬された過去の患者の中から、投薬対象患者の属性情報に類似した属性情報を有する過去の患者の投薬効果情報を抽出する投薬効果情報抽出ステップと、投薬効果情報検索ステップで抽出された投薬効果情報に基づいて、薬剤の平均的な投薬効果を表す平均投薬効果情報を生成する平均投薬効果情報生成ステップと、平均投薬効果情報を時系列にモニターに表示する平均投薬効果情報表示ステップとを備えている。
【００２２】
また、本発明の投薬効果予測システムの制御プログラムは、患者の属性情報と、患者に投薬された薬剤の名称と、薬剤の投薬により前記患者に表れた投薬効果に関する投薬効果情報とを患者単位で格納する投薬情報データベースと、薬剤の名称と、薬剤が投薬される投薬対象患者の属性情報とに基づいて投薬情報データベースを検索して、薬剤が投薬された過去の患者の中から、投薬対象患者の属性情報に類似した属性情報を有する過去の患者の投薬効果情報を抽出する投薬効果情報検索部と、投薬効果情報検索部で抽出された投薬効果情報に基づいて、薬剤の平均的な投薬効果を表す平均投薬効果情報を生成する平均投薬効果情報生成部と、平均投薬効果情報を時系列にモニターに表示する表示制御部としてコンピュータを機能させる者である。
【発明の効果】
【００２３】
本発明によれば、患者の属性情報と類似する属性情報を有する過去の患者の投薬効果情報に基づいて、平均投薬効果情報を得ることができるので、投薬の効果を予測することができる。また、平均投薬効果情報は、時系列にモニターに表示されるので、投薬による病状の変化を容易に把握することができる。
【図面の簡単な説明】
【００２４】
【図１】投薬効果予測システムの構成を示す概略図である。
【図２】投薬終了通知のフォーマットを示す説明図である。
【図３】投薬効果情報送信装置の機能的な構成を示すブロック図である。
【図４】配信要求のフォーマットを示す説明図である。
【図５】投薬効果情報の構成を示す説明図である。
【図６】クライアント端末の機能的な構成を示すブロック図である。
【図７】検索条件画面の構成を示す説明図である。
【図８】検索要求のフォーマットを示す説明図である。
【図９】投薬効果情報データベースの構成を示す説明図である。
【図１０】投薬効果情報サーバーの機能的な構成を示すブロック図である。
【図１１】投薬効果情報検索部で検索された投薬効果情報の一例を示すグラフである。
【図１２】図１１の投薬効果情報の投薬期間を統一した状態を示すグラフである。
【図１３】図１２の投薬効果情報から求めた平均投薬効果情報を示すグラフである。
【図１４】投薬効果情報表示画面の構成を示す説明図である。
【図１５】平均投薬効果情報の内訳が表示された投薬効果情報表示画面を示す説明図である。
【図１６】時間指定枠が表示された投薬効果情報表示画面を示す説明図である。
【図１７】指定時間投薬効果情報が表示された投薬効果情報表示画面を示す説明図である。
【図１８】医用画像が表示された投薬効果情報表示画面を示す説明図である。
【図１９】投薬効果情報の収集手順を示すフローチャートである。
【図２０】投薬効果情報の検索及び表示手順を示すフローチャートである。
【図２１】第２の実施形態の検索条件画面の構成を示す説明図である。
【図２２】第２の実施形態の検索要求のフォーマットを示す説明図である。
【図２３】第２の実施形態の投薬効果情報サーバーの機能的な構成を示すブロック図である。
【図２４】第２の実施形態の投薬効果情報表示画面の構成を示す説明図である。
【発明を実施するための形態】
【００２５】
［第１実施形態］
図１に示すように、本発明の投薬効果予測システム１０は、複数の病院Ａ、Ｂ、Ｃと、インターネット１１によって病院Ａ、Ｂ、Ｃと接続されたデータセンター１２とから構成されている。データセンター１２は、病院Ａ〜Ｂから送信された投薬効果情報を管理している。投薬効果情報とは、投薬によって患者に表れた投薬効果に関する情報である。データセンター１２は、病院Ａ、Ｂ、Ｃから所定の薬剤の投薬効果が問い合わされた場合に、その薬剤の平均的な投薬効果情報を生成して、病院Ａ、Ｂ、Ｃに送信する。病院Ａ、Ｂ、Ｃでは、平均投薬効果情報を処方時の薬剤の選択や、患者への処方の説明に利用する。
【００２６】
次に、病院Ａの構成について説明するが、病院Ｂ、Ｃは、病院Ａとほぼ同様の構成を有するため、詳しい説明は省略する。
【００２７】
病院Ａは、医用画像を撮影するモダリティ装置１３と、モダリティ装置１３で撮影された医用画像を管理する画像サーバー１４と、患者から得られた被検査物を検査する検体検査装置１５と、電子カルテを管理する電子カルテサーバー１６と、これらの装置１３〜１６から投薬効果情報を収集してデータセンター１２に送信する投薬効果情報送信装置１７と、医用画像、電子カルテ及び投薬効果情報の閲覧と、電子カルテの作成とに用いられる複数台のクライアント端末１８とを備えている。これらの装置１３〜１８は、ＬＡＮ１９によって通信可能に接続されている。ＬＡＮ１９は、インターネット１１に接続されている。
【００２８】
モダリティ装置１３は、例えば、ＣＲ装置やＤＲ装置等である。ＣＲ装置は、輝尽性蛍光体が塗布されたイメージングプレートを用いてＸ線画像を撮影し、撮影後のイメージングプレートを走査して、イメージングプレートに記録されたＸ線画像を電子データとして読み取る装置である。ＤＲ装置は、Ｘ線の入射量に応じた信号電荷を蓄積する画素がマトリクス状に配列されたフラットパネルディテクタ（ＦＰＤ；flat panel detector）を利用してＸ線画像を撮影する装置であり、画素毎に蓄積した信号電荷を信号処理回路で電圧信号に変換することでＸ線画像を電子データとして検出する。
【００２９】
画像サーバー１４は、画像サーバー用プログラムが組み込まれたコンピュータと、このコンピュータに接続された画像データベースとを備えている。モダリティ装置１３で撮影された医用画像は、ＬＡＮ１９を介して画像サーバー１４に送信される。画像サーバー１４は、モダリティ装置１３から送信された医用画像を画像データベースに格納して管理する。医用画像には、モダリティ装置１３により、患者ＩＤ等の情報がメタデータとして書き込まれているので、画像サーバー１４では医用画像を検索することができる。
【００３０】
画像サーバー１４は、投薬効果情報送信装置１７からの配信要求、あるいはクライアント端末１８からの閲覧要求があったときに、これらの配信要求あるいは閲覧要求に含まれる患者ＩＤに基づいて画像データベースを検索し、抽出した医用画像を投薬効果情報送信装置１７あるいはクライアント端末１８に送信する。
【００３１】
検体検査装置１５は、血液、尿等の検体中の化学成分、電解質成分等を分析する定量分析装置や、検体中の抗原、抗体量の定量或いは抗原、抗体の有無を定性分析する免疫血清検査装置、血液中の血球成分やヘモグロビン濃度、血液の凝固能や凝固因子の分析を行う血液検査装置等である。検体検査装置１５は、検査結果を電子カルテサーバー１６に送信する。
【００３２】
電子カルテサーバー１６は、電子カルテ用プログラムが組み込まれたコンピュータと、このコンピュータに接続された電子カルテデータベースとを備えている。クライアント端末１８で入力された電子カルテ情報や、検体検査装置１５から送信された検査結果は、ＬＡＮ１９を介して電子カルテサーバー１６に送信される。電子カルテサーバー１６は、クライアント端末１８から送信された電子カルテ情報と、検体検査装置１５から送信された検査結果とを電子カルテデータベースに格納して管理する。
【００３３】
電子カルテ情報は、例えば、患者情報、診療情報、検査情報等である。患者情報は、各患者の個人情報を表すものであり、例えば、患者氏名、患者ＩＤ、現住所、生年月日、年齢、性別、家族構成、及び既往歴やアレルギーの有無等が含まれる。診療情報は、患者に対しての診療の情報であり、例えば、診療日付、診療科、傷病名、診断結果、治療期間、投薬の種類及び量、処方薬局名などが含まれる。なお、治療期間とは、同一傷病に関して医療施設に通院した期間である。検査情報は、診断に際してモダリティ装置１３で撮影された医用画像を含む画像情報や、検体検査装置１５で検査された検査結果等であり、検査日付、検査機器、検査方法、検査部位等も含まれる。
【００３４】
検査情報には、投薬の効果に対する患者の主観を、例えば５段階評価した主観情報が含まれている。この主観情報は、例えば、患者による問診表の記入や、医師による問診によって患者から聞き取られる。患者から聞き取られた主観情報は、その患者の電子カルテ情報に検査情報の一項目として記録される。
【００３５】
電子カルテサーバー１６は、投薬効果情報送信装置１７からの配信要求、あるいはクライアント端末１８からの閲覧要求があったときに、これらの配信要求あるいは閲覧要求に含まれる患者ＩＤに基づいて電子カルテデータベースを検索し、抽出した患者情報、診療情報及び検査情報を投薬効果情報送信装置１７、あるいはクライアント端末１８に送信する。また、電子カルテサーバー１６は、クライアント端末１８で電子カルテ情報が入力された際には、クライアント端末１８から送信された電子カルテ情報を受信して、電子カルテデータベースに保存する。
【００３６】
また、電子カルテサーバー１６は、患者への投薬終了が電子カルテに入力された場合に、投薬終了通知ＭＳＮを投薬効果情報送信装置１７に送信する。患者への投薬終了により、投薬開始から投薬終了までの投薬効果情報が確定するからである。投薬終了通知ＭＳＮのデータフォーマットを示す図２において、本例の投薬終了通知ＭＳＮには、信号が投薬終了通知ＭＳＮであることを示す信号種別（「０００１」）と、投薬が終了した患者の患者ＩＤと、その患者の投薬期間情報とが含まれている。投薬期間情報は、投薬開始日と投薬終了日とを含む情報である。投薬効果情報送信装置１７は、投薬終了通知ＭＳＮに基づいて、投薬効果情報の収集を開始する。
【００３７】
投薬効果情報送信装置１７は、投薬情報送信プログラムが組み込まれたコンピュータであり、このコンピュータで投薬情報送信プログラムが起動されることにより、図３に示すように、制御部２７、投薬効果情報収集部２８、標準化部２９、及び投薬効果情報送信部３０として機能する。制御部２７は、これらの機能部２８〜３０を統括的に制御する。
【００３８】
投薬効果情報収集部２８は、画像サーバー１４及び電子カルテサーバー１６から投薬効果情報を収集する。投薬効果情報収集部２８は、電子カルテサーバー１６から投薬終了通知ＭＳＮが送信された場合に、画像サーバー１４及び電子カルテサーバー１６に対して、配信要求ＤＲを送信する。配信要求ＤＲのデータフォーマットを示す図４において、本例の配信要求ＤＲには、信号が配信要求ＤＲであることを示す信号種別（「０００２」）と、投薬終了通知ＭＳＮから読み出した患者ＩＤ、及び投薬期間情報とが含まれている。
【００３９】
配信要求ＤＲを受信した画像サーバー１４は、配信要求ＤＲに含まれる患者ＩＤを有する患者の医用画像の中から、投薬期間内に撮影された医用画像を検索して抽出し、抽出された医用画像を含む画像情報を投薬効果情報送信装置１７に送信する。
【００４０】
また、配信要求ＤＲを受信した電子カルテサーバー１６は、配信要求ＤＲに含まれる患者ＩＤを有する患者の電子カルテ情報の中から、患者の氏名、年齢、性別等の属性情報と、病名及び処方薬剤等の診療情報と、投薬期間内に行われた検査の結果、バイタルの測定値、患者の主観情報等の検査情報からなる投薬効果情報を検索して抽出し、抽出された投薬効果情報を投薬効果情報送信装置１７に送信する。投薬効果情報収集部２８は、画像サーバー１４及び電子カルテサーバー１６から送信された投薬効果情報を受信する。
【００４１】
標準化部２９は、投薬効果情報収集部２８で収集された医用画像、属性情報、診療情報及び検査情報からなる投薬効果情報を標準化する。この標準化は、例えばＨＬ７（Health Level Seven）や、ＤＩＣＯＭ（Digital Imaging and Communications in Medicine Standards Committee）で制定されている標準規格、あるいは保健医療福祉情報システム工業会、及び医療情報システム開発センター等で制定されている標準化データに基づいて行われる。投薬効果情報を標準化するのは、異なるメーカーのモダリティ装置や画像サーバー、電子カルテサーバー等を使用する複数の病院間で、投薬効果情報を供用できるようにするためである。
【００４２】
投薬効果情報送信部３０は、標準化部２９で標準化された投薬効果情報を、ＬＡＮ１９及びインターネット１１を介してデータセンター１２に送信する。なお、投薬効果情報がインターネット１１上で盗聴されるのを防ぐために、各病院Ａ〜Ｂとデータセンター１２との間をＶＰＮ（Virtual Private Network）で接続したり、送信情報を暗号化してもよい。
【００４３】
図５は、投薬効果情報送信装置１７から、データセンター１２に送信される投薬効果情報の一例である。投薬効果情報３２は、属性情報３３と、診療情報３４と、検査情報３５と、画像情報３６を含んでいる。属性情報３３には、患者ＩＤと、患者氏名と、患者の年齢及び性別と、患者が診察を受けた病院名とが含まれている。診療情報３４には、患者の病名と、投薬された薬剤の名称とが含まれている。検査情報３５には、投薬期間内に行われた検査Ａ、検査Ｂ、検査Ｃの検査結果と、バイタルＡ、バイタルＢ、バイタルＣの測定結果と、患者の主観情報とが含まれている。画像情報３６には、投薬期間内に撮影されたＸ線画像等の医用画像３７ａ〜３７ｃが含まれている。
【００４４】
検査Ａ〜Ｃは、例えば定量分析装置や、免疫血清検査装置、血液検査装置等の検体検査装置１５により検査された検査結果である。また、バイタルＡ〜Ｃは、体温や、血圧、脈拍等の測定結果である。なお、投薬効果情報３２において、検査Ａ〜Ｃ、バイタルＡ〜Ｃ、及び主観情報を時間軸に沿ったグラフによって描いているが、実際には、検査Ａ〜Ｃ、バイタルＡ〜Ｃ、及び主観情報は、検査日あるいは測定日等の時間情報と、検査結果あるいは測定結果とが対応付けられた情報として取り扱われる。
【００４５】
クライアント端末１８は、電子カルテ作成プログラム、医用画像閲覧プログラム、投薬効果情報閲覧プログラム等が組み込まれたコンピュータである。クライアント端末１８は、コンピュータで投薬効果情報閲覧プログラムが起動されることにより、図６に示すように、制御部４０、検索要求部４１、表示制御部４２、時間指定部４３として機能する。制御部４０は、これらの機能部４１〜４３を統括的に制御する。また、クライアント端末１８は、キーボードやマウス等からなる入力部４４と、電子カルテ情報や医用画像、投薬効果情報等が表示されるモニター４５も備えている。
【００４６】
検索要求部４１は、データセンター１２に、投薬効果情報の検索を要求する。検索要求部４１は、クライアント端末１８で投薬効果情報を検索するための操作がなされた場合に、モニター４５に、図７に示す検索条件画面４７を表示する。検索条件画面４７は、年齢及び性別等の患者の属性情報に関する検索事項入力する属性情報入力ボックス４８と、薬剤の名称を入力する薬剤名入力ボックス４９と、クライアント端末１８に表示する投薬効果情報の種類を入力する表示項目入力ボックス５０と、検索を開始するための検索ボタン５１とを備えている。
【００４７】
属性情報入力ボックス４８には、「２６歳」、「３５歳」等の具体的な年齢や、「２０代」、「４０代」等の年代が入力される。表示項目入力ボックス５０には、例えば、「検査Ａ」、「検査Ｂ」等の検査名や、「バイタルＢ」や「バイタルＣ」等のバイタル名、投薬の効果に対する患者の主観を評価した「主観情報」等が入力される。各入力ボックス４８〜５０への検索事項の入力には、入力部４４のキーボードが用いられる。
【００４８】
なお、属性情報入力ボックス４８、薬剤名入力ボックス４９及び表示項目入力ボックス５０への検索事項の入力は、各入力ボックス４８〜５０の右端に設けられたリスト表示ボタンにより行ってもよい。リスト表示ボタンを入力部４４のマウスで操作すると、その入力ボックスの下に複数の入力項目がリスト表示されるので、リスト表示された入力項目の中から任意の項目をマウスで選択することにより、入力ボックスに検索事項を入力することができる。なお、各入力ボックス４８〜５０の数は、図７に示す検索条件画面４７に記載されている数に限定されるものではなく、例えば薬剤名入力ボックス４９や表示項目入力ボックス５０を多めに設けてもよいし、ユーザーの設定により任意に変更できるようにしてもよい。
【００４９】
検索条件画面４７の各入力ボックス４８〜５０に入力が行われ、検索ボタン５１が操作されると、検索要求部４１は、データセンター１２に向けて検索要求ＳＲを送信する。検索要求ＳＲのデータフォーマットを示す図８において、本例の検索要求ＳＲには、信号が検索要求ＳＲであることを示す信号種別（「０００３」）と、各入力ボックス４８〜５０に入力された入力項目からなる検索条件とが含まれている。例えば、検索条件画面４７の属性情報入力ボックス４８、薬剤名入力ボックス４９、及び表示項目入力ボックス５０で、「４０代」、「男」、「抗ヒスタミン剤Ａ」、「検査Ａ」及び「検査Ｃ」等が入力された場合には、検索要求ＳＲの検索条件には、「４０代／男／抗ヒスタミン剤Ａ／検査Ａ／検査Ｃ」というように、各入力ボックス４８〜５０で入力された入力内容が含まれる。
【００５０】
データセンター１２は、複数の投薬効果情報を格納した投薬効果情報データベース５４と、投薬効果情報データベース５４を管理する複数台の投薬効果情報サーバー５５とから構成されている。図９に示すように、投薬効果情報データベース５４は、投薬効果情報送信装置１７から送信された複数の投薬効果情報３２を患者単位で格納している。
【００５１】
投薬効果情報サーバー５５は、投薬効果情報管理用プログラムが組み込まれたコンピュータであり、このコンピュータで投薬効果情報管理用プログラムが起動されることにより、図１０に示すように、制御部５７、投薬効果情報管理部５８、投薬効果情報検索部５９、及び平均投薬効果情報生成部６０として機能する。制御部５７は、これらの機能部５８〜６０を統括的に制御する。なお、本実施形態では、投薬効果予測システム１０に接続されている病院の数に合わせて投薬効果情報サーバー５５を３台使用しているが、投薬効果情報サーバー５５の処理能力に応じて、投薬効果情報サーバー５５の台数を病院の数よりも多くしてもよいし、少なくしてもよい。
【００５２】
投薬効果情報管理部５８は、ＬＡＮ１９及びインターネット１１を介して投薬効果情報送信装置１７から送信された投薬効果情報３２を、投薬効果情報データベース５４に格納して管理する。投薬効果情報検索部５９は、クライアント端末１８から送信された検索要求ＳＲに基づいて投薬効果情報データベース５４を検索する。具体的には、投薬効果情報検索部５９は、投薬効果情報データベース５４から、検索要求ＳＲで指定された薬剤が投薬された過去の患者を検索し、この検索された過去の患者の中から、検索要求ＳＲで指定された属性情報に類似する属性情報を有する複数の過去の患者を検索し、類似性が高かった上位数件の過去の患者の投薬効果情報を抽出する。
【００５３】
平均投薬効果情報生成部６０は、投薬効果情報検索部５９で抽出された複数の投薬効果情報に基づいて、薬剤の平均的な投薬効果を表す平均投薬効果情報を生成する。図１１は、例えば、投薬効果情報検索部５９で抽出された上位数件の投薬効果情報Ａ〜Ｄのうち、検査Ａの検査結果を、投薬開始日を基準にして時系列に表したグラフである。このグラフから分るように、投薬効果情報Ａ〜Ｄの投薬開始日Ａ１〜Ｄ１から投薬終了日Ａ２〜Ｄ２までの投薬期間Ａ３〜Ｄ３は、患者によって異なっている。そのため、平均投薬効果情報生成部６０は、投薬開始日を基準にして同一の時系列上に揃えられるように、すなわち、投薬期間が同一になるように、複数の投薬効果情報を補正する。
【００５４】
具体的には、平均投薬効果情報生成部６０は、投薬効果情報検索部５９で抽出された複数の投薬効果情報の平均投薬期間を求め、各投薬効果情報の投薬期間が平均投薬期間と同一になるように、各投薬効果情報を補正する。例えば、図１１に示すように、上述した投薬効果情報Ａ〜Ｄの投薬期間Ａ３〜Ｄ３の平均は、平均投薬期間ＭＰである。そのため、平均投薬効果情報生成部６０は、投薬効果情報Ａ〜Ｄの投薬期間Ａ３〜Ｄ３が、平均投薬期間ＭＰと同一になるように、投薬効果情報Ａ〜Ｄを補正する。
【００５５】
例えば、投薬効果情報Ｂ、Ｄの投薬期間Ｂ３、Ｄ３は、平均投薬期間ＭＰよりも短いため、平均投薬効果情報生成部６０は、図１２に示すように、投薬効果情報Ｂ、Ｄの投薬期間Ｂ３、Ｄ３の時間軸を延ばして平均投薬期間ＭＰに合わせる。また、投薬効果情報Ａ、Ｃの投薬期間Ａ３、Ｃ３は、平均投薬期間ＭＰよりも長いため、平均投薬効果情報生成部６０は、図１２に示すように、投薬効果情報Ａ、Ｃの投薬期間Ａ３、Ｃ３の時間軸を圧縮して平均投薬期間ＭＰに合わせる。これにより、投薬効果情報Ａ〜Ｄの投薬期間は同一になるため、投薬開始日を基準にして同一の時系列上に揃えられたことになる。
【００５６】
平均投薬効果情報生成部６０は、投薬開始日を基準にして同一の時系列上に揃えた複数の投薬効果情報から、例えば、±２σ以外のデータを除いて平均値を求め、所定範囲を有する平均投薬効果情報を生成する。図１３は、上述した投薬効果情報Ａ〜Ｄの平均投薬効果情報ＭＶであり、最小値Ｍｉｎ及び最大値Ｍａｘからなる所定範囲を有している。平均投薬効果情報生成部６０は、平均投薬効果情報ＭＶと、この平均投薬効果情報ＭＶの基となった複数の投薬効果情報とを、検索要求ＳＲを送信したクライアント端末１８に送信する。なお、検査Ａの検査結果から平均投薬効果情報を求める例について説明したが、検査Ｂ、Ｃ及びバイタルＡ〜Ｃ、並びに主観情報からも同様の手順で平均投薬効果情報が求められる。
【００５７】
クライアント端末１８の検索要求部４１は、投薬効果情報サーバー５５から送信された平均投薬効果情報ＭＶを受信する。クライアント端末１８の表示制御部４２は、検索要求部４１により受信された平均投薬効果情報ＭＶをモニター４５に表示する。具体的には、表示制御部４２は、図１４に示すように、クライアント端末１８のモニター４５に、投薬効果情報表示画面６３を表示させる。投薬効果情報表示画面６３には、検索条件表示部６４、投薬効果情報表示部６５、内訳ボタン６６、時間指定ボタン６７及び再検索ボタン６８が設けられている。再検索ボタン６８は、投薬効果情報を再検索する場合に操作される。
【００５８】
検索条件表示部６４には、検索条件画面４７で入力された検索条件が表示される。投薬効果情報表示部６５には、水平方向に配された時間軸７０と、この時間軸７０に沿って時系列にグラフ表示された平均投薬効果情報ＭＶとが表示される。平均投薬効果情報ＭＶには、平均投薬効果情報生成部６０で求められた所定範囲が含まれている。なお、図１４では、検索条件として入力された表示項目が「検査Ａ」のみの場合を示しているが、検索条件に複数の表示項目が入力されている場合には、投薬効果情報表示部６５には、検査Ｂ、検査Ｃ、バイタルＡ〜Ｃ及び主観情報等、複数の平均投薬効果情報が表示される。また、同様の効能を有する複数の薬剤について検索して、投薬効果情報表示画面６３に各薬剤の平均投薬効果情報を表示させれば、各薬剤の投薬効果を比較することもできる。
【００５９】
内訳ボタン６６は、平均投薬効果情報の基となった複数の投薬効果情報を表示させるためのボタンである。表示制御部４２は、内訳ボタン６６が操作されると、図１５に示すように、平均投薬効果情報ＭＶの下方に、平均投薬効果情報ＭＶの基となった複数の投薬効果情報Ａ〜Ｄを、時間軸７０に沿って時系列にグラフ表示させる。
【００６０】
内訳ボタン６６の操作により、平均投薬効果情報ＭＶの基となった複数の投薬効果情報Ａ〜Ｄを表示することで、その薬剤による投薬効果が患者によってどの程度の投薬期間で表れるか、患者によってどの程度の投薬効果が表れるかを具体的に確認することができる。特に、内訳ボタン６６の操作により表示される複数の投薬効果情報Ａ〜Ｄは、属性情報が類似している上位数件の過去の患者の投薬効果情報であるため、医師による処方の決定や、患者への処方の説明に資することができる。
【００６１】
クライアント端末１８の時間指定部４３は、時間指定ボタン６７が操作された場合に、図１６に示すように、投薬効果情報表示部６５内に時間指定枠７２と、決定ボタン７３とを表示させる。時間指定枠７２は、クライアント端末１８の入力部４４のキーボードやマウスによって投薬効果情報表示部６５内で移動されて、平均投薬効果情報ＭＶの任意の位置に配置される。表示制御部４２は、時間指定枠７２の移動後に決定ボタン７３が操作された場合には、時間指定枠７２で指定された指定時間における指定時間投薬効果情報を表示する。
【００６２】
図１７に示すように、決定ボタン７３が操作されると、投薬効果情報表示部６５内には、指定時間投薬効果情報が表示された情報ボックス７５が表示される。指定時間投薬効果情報としては、例えば、指定時間における平均投薬効果情報ＭＶの平均値、Ｍａｘ値及びＭｉｎ値と、平均投薬効果情報ＭＶの基となった複数の投薬効果情報Ａ〜Ｄの測定値Ａｖ〜Ｄｖ等である。また、その指定時間に撮影された医用画像がある場合には、情報ボックス７５内に画像ボタン７６が表示される。
【００６３】
情報ボックス７５内の画像ボタン７６が操作されると、例えば、図１８に示すように、投薬効果情報表示部６５内には、医用画像７８ａ〜７８ｄと、戻るボタン７９とが表示される。投薬効果情報表示部６５内に医用画像が複数表示される場合には、医用画像７８ａ〜７８ｄの下方には、検索条件との類似順位が表示されるので、医師による処方の決定や、患者への処方の説明に資することができる。戻るボタン７９は、医用画像の表示から平均投薬効果情報ＭＶの表示に戻る場合に操作される。
【００６４】
上記構成による作用について、図１９及び図２０に示すフローチャートを参照しながら説明する。電子カルテサーバー１６は、患者への投薬終了が電子カルテに入力された場合に、投薬終了通知ＭＳＮを投薬効果情報送信装置１７に送信する（Ｓ１０）。投薬終了通知ＭＳＮを受信した投薬効果情報送信装置１７は、投薬効果情報の収集を開始するために、投薬効果情報収集部２８から画像サーバー１４及び電子カルテサーバー１６に対して、投薬効果情報の配信を求めるための配信要求ＤＲを送信する（Ｓ１１）。
【００６５】
配信要求ＤＲを受信した画像サーバー１４は、配信要求ＤＲに含まれる患者ＩＤを有する患者の医用画像の中から、投薬期間内に撮影された医用画像を検索する（Ｓ１２）。画像サーバー１４は、検索により抽出された医用画像を含む画像情報を、投薬効果情報送信装置１７に送信する（Ｓ１３）。
【００６６】
また、配信要求ＤＲを受信した電子カルテサーバー１６は、配信要求ＤＲに含まれる患者ＩＤを有する患者の電子カルテ情報の中から、患者の氏名、年齢、性別等の属性情報と、病名及び処方薬剤等の診療情報と、投薬期間内に行われた検査の結果、バイタルの測定値、投薬の効果に対する患者の主観情報等の検査情報からなる投薬効果情報を検索する（Ｓ１４）。電子カルテサーバー１６は、抽出された投薬効果情報を投薬効果情報送信装置１７に送信する（Ｓ１５）。
【００６７】
投薬効果情報送信装置１７の標準化部２９は、電子カルテサーバー１６から送信された投薬効果情報を、例えばＨＬ７、ＤＩＣＯＭ等の標準規格に基づいて標準化する（Ｓ１６）。投薬効果情報送信装置１７は、標準化された投薬効果情報を投薬効果情報サーバー５５に送信する（Ｓ１７）。投薬効果情報サーバー５５の投薬効果情報管理部５８は、投薬効果情報送信装置１７から送信された投薬効果情報を、投薬効果情報データベース５４に登録する（Ｓ１８）。
【００６８】
クライアント端末１８は、投薬効果情報を検索するための操作がなされた場合に、モニター４５に、図７に示す検索条件画面４７を表示する。ユーザーは、検索条件画面４７の属性情報入力ボックス４８、薬剤名入力ボックス４９、及び表示項目入力ボックス５０に検索条件を入力し、検索ボタン５１を操作する（Ｓ２０）。クライアント端末１８の検索要求部４１は、検索条件画面４７に入力された検索条件に基づいて、データセンター１２に向けて検索要求ＳＲを送信する（Ｓ２１）。
【００６９】
投薬効果情報サーバー５５の投薬効果情報検索部５９は、クライアント端末１８から送信された検索要求ＳＲに基づいて投薬効果情報データベース５４を検索する（Ｓ２２）。具体的には、投薬効果情報検索部５９は、投薬効果情報データベース５４から、検索要求ＳＲで指定された薬剤が投薬された過去の患者を検索し、この検索された過去の患者の中から、検索要求ＳＲで指定された属性情報に類似する属性情報を有する複数の過去の患者を検索し、類似性が高かった上位数件の過去の患者の投薬効果情報を抽出する。
【００７０】
投薬効果情報サーバー５５の平均投薬効果情報生成部６０は、投薬効果情報検索部５９で抽出された複数の投薬効果情報に基づいて、薬剤の平均的な投薬効果を表す平均投薬効果情報を生成する（Ｓ２３）。具体的には、平均投薬効果情報生成部６０は、図１１に示すように、投薬効果情報検索部５９で抽出された上位数件の投薬効果情報Ａ〜Ｄの投薬期間Ａ３〜Ｄ３が、図１２に示すように、平均投薬期間ＭＰと同一になるように、投薬効果情報Ａ〜Ｄを補正する。また、平均投薬効果情報生成部６０は、図１３に示すように、補正後の投薬効果情報Ａ〜Ｄから±２σ以外のデータを除いて平均値を求め、所定範囲を有する平均投薬効果情報ＭＶを生成する。投薬効果情報サーバー５５は、平均投薬効果情報ＭＶと、この平均投薬効果情報ＭＶの基となった複数の投薬効果情報とを、検索要求ＳＲを送信したクライアント端末１８に送信する（Ｓ２４）。
【００７１】
クライアント端末１８の表示制御部４２は、投薬効果情報サーバー５５から送信された平均投薬効果情報ＭＶをモニター４５に表示する（Ｓ２５）。具体的には、図１４に示すように、検索条件表示部６４、投薬効果情報表示部６５、内訳ボタン６６、時間指定ボタン６７及び再検索ボタン６８が設けられた投薬効果情報表示画面６３がモニター４５に表示される。
【００７２】
投薬効果情報表示部６５には、水平方向に配された時間軸７０と、この時間軸７０に沿って時系列にグラフ表示された平均投薬効果情報ＭＶとが表示される。平均投薬効果情報ＭＶによれば、所定の薬剤が投薬された場合に、患者の病状がどのように変化するかが容易に把握できるようになるため、医師による処方の作成や、患者への処方の説明に資することができる。
【００７３】
投薬効果情報表示画面６３で内訳ボタン６６が操作されると、図１５に示すように、投薬効果情報表示部６５には、平均投薬効果情報ＭＶの基となった複数の投薬効果情報Ａ〜Ｄが時間軸７０に沿って時系列にグラフ表示される。内訳ボタン６６の操作により表示される複数の投薬効果情報Ａ〜Ｄは、属性情報が類似している上位数件の過去の患者の投薬効果情報であるため、医師による処方の決定や、患者への処方の説明に資することができる。
【００７４】
また、投薬効果情報表示画面６３で時間指定ボタン６７が操作された場合には、図１６に示すように、投薬効果情報表示部６５内に時間指定枠７２と、決定ボタン７３とが表示される。ユーザーは、時間指定枠７２を平均投薬効果情報ＭＶ上で任意の位置に移動させて、指定時間を設定することにより、その指定時間における指定時間投薬効果情報を閲覧することができる。
【００７５】
時間指定枠７２が平均投薬効果情報ＭＶ上で任意の位置に移動されて、決定ボタン７３が操作されると、表示制御部４２は、図１７に示すように、投薬効果情報表示部６５内に情報ボックス７５を表示する。情報ボックス７５内には、例えば、指定時間における平均投薬効果情報ＭＶの平均値、Ｍａｘ値及びＭｉｎ値と、平均投薬効果情報ＭＶの基となった複数の投薬効果情報Ａ〜Ｄの測定値Ａｖ〜Ｄｖ等が表示される。
【００７６】
また、その指定時間に撮影された医用画像がある場合には、情報ボックス７５内に画像ボタン７６が表示される。この画像ボタン７６を操作すると、図１８に示すように、投薬効果情報表示部６５内には、医用画像７８ａ〜７８ｄが表示される。これにより、ユーザーは、所定の薬剤が投薬された場合に患者の病状がどのように変化するかを医用画像によって確認することもできる。モニター４５に表示された平均投薬効果情報ＭＶや投薬効果情報Ａ〜Ｄ、及び医用画像は、医師による処方作成時の参考としたり、患者への処方の説明に用いられる。
【００７７】
このように、投薬効果情報送信装置１７は、電子カルテサーバー１６に患者への投薬終了が入力された場合に、自動的に投薬効果情報の収集を開始し、収集した投薬効果情報を投薬効果情報サーバー５５に送信するので、投薬効果情報サーバー５５には、過去に診療された多数の患者の投薬効果情報を格納することができる。また、投薬効果情報送信装置１７は、投薬効果情報サーバー５５に投薬効果情報を送信する前に、投薬効果情報を標準化するので、異なるメーカーのモダリティ装置や画像サーバー、電子カルテサーバー等を使用する複数の病院間で、投薬効果情報を供用することができる。
【００７８】
また、患者の属性情報と類似する属性情報を有する過去の患者の投薬効果情報に基づいて、その薬剤の平均的な投薬効果に関する情報を得ることができるので、投薬の効果を容易に予測することができる。これにより、医師による処方の作成が容易になる。また、平均投薬効果情報は、時系列にモニター４５に表示されるので、投薬による病状の変化を容易に把握することができる。したがって、平均投薬効果情報を用いて処方の説明を受けた患者は、その処方による投薬効果を容易に把握することができる。
【００７９】
［第２の実施形態］
第１実施形態では、検索条件画面４７で入力された薬剤に関する平均投薬効果情報のみをモニター４５に表示するようにしたが、本実施形態では、検索条件画面４７で入力された薬剤と同等の成分を有する後発薬剤、いわゆるジェネリック薬剤の平均投薬効果情報も同時に検索してモニター４５に表示する点で、第１実施形態と異なっている。なお、第１実施形態と共通部分については説明を省略し、相違点を中心に説明する。
【００８０】
図２１に示すように、本実施形態の検索条件画面４７には、ジェネリック薬剤について検索するか否かを選択するチェックボックス８５が設けられている。このチェックボックス８５を入力部４４のマウスで操作してチェックし、検索ボタン５１を操作すると、クライアント端末１８から投薬効果情報サーバー５５に送信される検索要求ＳＲの検索条件には、図２２に示すように、ジェネリック薬剤が追加される。
【００８１】
投薬効果情報サーバー５５の投薬効果情報検索部５９は、クライアント端末１８から送信された検索要求ＳＲの検索条件に基づいて投薬効果情報データベース５４を検索する。その際に、投薬効果情報検索部５９は、図２３に示すように、先行して市場に提供されたオリジナル薬剤と、このオリジナル薬剤と同等の成分を有するジェネリック薬剤との対応を記憶したジェネリックデータベース８７を検索して、検索条件の薬剤に対応するジェネリック薬剤を抽出する。投薬効果情報検索部５９は、第１の実施形態と同様に、検索条件の薬剤と、ジェネリック薬剤の投薬効果情報を投薬効果情報データベース５４から検索する。
【００８２】
平均投薬効果情報生成部６０は、第１実施形態と同様に、投薬効果情報検索部５９で検索された検索条件の薬剤と、ジェネリック薬剤の投薬効果情報から、それぞれの平均投薬効果情報を生成して、検索要求ＳＲを送信したクライアント端末１８に送信する。クライアント端末１８の表示制御部４２は、図２４に示すように、投薬効果情報表示画面６３の投薬効果情報表示部６５内に、検索条件の薬剤とジェネリック薬剤の平均投薬効果情報８９、９０を表示する。ジェネリック薬剤の平均投薬効果情報９０は、内訳ボタン９１を操作することにより、第１実施形態と同様に、平均投薬効果情報９０の基となった複数の投薬効果情報を閲覧することができる。また、時間指定ボタン６７を操作して時間指定枠７２で指定時間を設定することにより、指定時間内の投薬効果情報を閲覧することもできる。
【００８３】
本実施形態によれば、オリジナル薬剤とともにジェネリック薬剤の投薬効果も予測することができる。これにより、オリジナル薬剤に対するジェネリック薬剤の投薬効果が明確になるので、ジェネリック薬剤による処方が行いやすくなる。また、患者に対して、ジェネリック薬剤がオリジナル薬剤と同等の効果を有することを視覚的に説明することができるので、患者に対してオリジナル薬剤よりも安価なジェネリック薬剤の処方を勧めやすくなる。
【符号の説明】
【００８４】
１０  投薬効果予測システム
１１  インターネット
１２  データセンター
１４  画像サーバー
１５  検体検査装置
１６  電子カルテサーバー
１７  投薬効果情報送信装置
１８  クライアント端末
２８  投薬効果情報収集部
２９  標準化部
３０  投薬効果情報送信部
３２  投薬効果情報
４１  検索要求部
４２  表示制御部
４３  時間指定部
４５  モニター
４７  検索条件画面
５４  投薬効果情報データベース
５５  投薬効果情報サーバー
５８  投薬効果情報管理部
５９  投薬効果情報検索部
６０  平均投薬効果情報生成部
６３  投薬効果情報表示画面
【図１】
2014071592.tif 000003
【図２】
2014071592.tif 000004
【図３】
2014071592.tif 000005
【図４】
2014071592.tif 000006
【図５】
2014071592.tif 000007
【図６】
2014071592.tif 000008
【図７】
2014071592.tif 000009
【図８】
2014071592.tif 000010
【図９】
2014071592.tif 000011
【図１０】
2014071592.tif 000012
【図１１】
2014071592.tif 000013
【図１２】
2014071592.tif 000014
【図１３】
2014071592.tif 000015
【図１４】
2014071592.tif 000016
【図１５】
2014071592.tif 000017
【図１６】
2014071592.tif 000018
【図１７】
2014071592.tif 000019
【図１８】
2014071592.tif 000020
【図１９】
2014071592.tif 000021
【図２０】
2014071592.tif 000022
【図２１】
2014071592.tif 000023
【図２２】
2014071592.tif 000024
【図２３】
2014071592.tif 000025
【図２４】
2014071592.tif 000026